(57)【要約】【課題】テレビ共同受信システムのヘッド側に設置し使用する場合に設置場所の制約や設置工事の煩雑化等の問題を回避することができるテレビ放送用再送信装置を提供する。【解決手段】アンテナ１０１及び１０２によって受信された地上波放送信号を入力する入力ポートＰＴ１及びＰＴ２と、アンテナ１０４によって受信された衛星放送信号を入力する入力ポートＰＴ４と、入力ポートＰＴ１及びＰＴ２が入力した地上波放送信号を放送チャンネル毎に適正レベルに調整する地上波放送信号レベル調整部と、前記地上波放送信号レベル調整部によってレベル調整された地上波放送信号と入力ポートＰＴ４が入力した衛星放送信号又は入力ポートＰＴ４が入力した衛星放送信号を信号処理して得られる衛星放送信号とを混合する混合器と、アンテナ１０４にＤＣ電力を供給するために入力ポートＰＴ４にＤＣ電力を重畳するＤＣ電力重畳部とを備えるテレビ放送用再送信装置。【選択図】図１
2010103905.tif 000002
【特許請求の範囲】
【請求項１】
地上波放送受信用アンテナによって受信された地上波放送信号を入力する地上波放送信号入力部と、
衛星放送受信用アンテナによって受信された衛星放送信号を入力する衛星放送信号入力部と、
前記地上波放送信号入力部が入力した地上波放送信号を放送チャンネル毎に適正レベルに調整する地上波放送信号レベル調整部と、
前記地上波放送信号レベル調整部によってレベル調整された地上波放送信号と前記衛星放送信号入力部が入力した衛星放送信号又は前記衛星放送信号入力部が入力した衛星放送信号を信号処理して得られる衛星放送信号とを混合する混合器と、
前記衛星放送受信用アンテナに電力を供給するために前記衛星放送信号入力部に電力を重畳する電力重畳部とを備えることを特徴とするテレビ放送用再送信装置。
【請求項２】
前記衛星放送信号入力部が入力した衛星放送信号をレベル調整する衛星放送信号レベル調整部を備え、
前記混合器が、前記地上波放送信号レベル調整部によってレベル調整された地上波放送信号と前記衛星放送信号レベル調整部によってレベル調整された衛星放送信号とを混合する請求項１に記載のテレビ放送用再送信装置。
【発明の詳細な説明】
【技術分野】
【０００１】
本発明は、アンテナで受信したテレビ放送信号を放送チャンネル毎に適正レベルに調整するテレビ放送用再送信装置に関する。
【背景技術】
【０００２】
アンテナで受信した地上波放送信号は、各放送チャンネル間でレベル差が生じている。したがって、集合住宅等のテレビ共同受信システムにおいて、最も受信レベルの高い放送チャンネルにおいて歪みが生じないようにシステムを構築すると、受信レベルの低い放送チャンネルの視聴ができない住戸等が出てくるおそれがある。
【０００３】
このため、テレビ共同受信システムのヘッド側に、地上波放送受信用アンテナで受信したテレビ放送信号を放送チャンネル毎に適正レベルに調整するテレビ放送用再送信装置を設けることが望ましい。
【０００４】
ここで、従来のテレビ放送用再送信装置をテレビ共同受信システムのヘッド側に設置し使用する場合の構成例を図４に示す。従来のテレビ放送用再送信装置１００は、２つの入力ポートＰＴ１及びＰＴ２と、出力ポートＰＴ３と、ＡＣプラグＰ１とを備えており、入力ポートＰＴ１に地上波放送受信用アンテナであるＵＨＦアンテナ１０１が接続され、入力ポートＰＴ２に地上波放送受信用アンテナであるＵＨＦアンテナ１０２が接続され、出力ポートＰ３とＵＨＦ・ＢＳ／ＣＳ用混合器１０３のＵＨＦ入力ポートとが接続され、ＡＣプラグＰ１が図示していない商用電源コンセントに接続される。
【０００５】
従来のテレビ放送用再送信装置１００は、ＡＣプラグＰ１から入力されるＡＣ電力によって駆動し、ＵＨＦアンテナ１０１及び１０２で受信した地上波放送信号を放送チャンネル毎に適正レベルに調整し、そのレベル調整後の地上波放送信号をＵＨＦ・ＢＳ／ＣＳ用混合器１０３に送出する。
【０００６】
ＵＨＦ・ＢＳ／ＣＳ用混合器１０３は、ＢＳ／ＣＳ入力ポートに衛星放送受信用アンテナであるＢＳ／ＣＳアンテナ１０４が接続されており、ＵＨＦ入力ポートに入力される地上波放送信号とＢＳ／ＣＳ入力ポートに入力される衛星放送信号とを混合し、そのＵＨＦ・ＢＳ／ＣＳ混合信号をテレビ共同受信システムの端末側に送出する。
【０００７】
また、ＵＨＦ・ＢＳ／ＣＳ用混合器１０３は、出力ポート−ＢＳ／ＣＳ入力ポート間のＤＣ１５Ｖ通電機能を有しており、テレビ共同受信システムのブースタ１０５が出力するＤＣ１５Ｖ電力をＢＳ／ＣＳアンテナ１０４に供給している。ＵＨＦ・ＢＳ／ＣＳ用混合器１０３が供給するＤＣ１５Ｖ電力によって、ＢＳ／ＣＳアンテナ１０４の図示していないＬＮＢ（Low Noise Block Converter）が駆動する。
【０００８】
テレビ共同受信システムは、集合住宅等の受信施設であって、ヘッド側に設置されたＵＨＦアンテナ１０１及び１０２、ＢＳ／ＣＳアンテナ１０４、混合器１０３、並びに従来のテレビ放送用再送信装置１００の他に、放送信号（ＵＨＦ・ＢＳ／ＣＳ混合信号）を増幅するブースタ１０５と、ブースタ１０５の出力を各住戸等に分配するための分配器１０６〜１０８とを備えている。なお、ブースタ１０５は、入力側にＤＣ１５Ｖ電力を出力するＤＣ１５Ｖ通電機能を有している。
【０００９】
【特許文献１】特開２００６−６７４２２号公報（第１図）
【非特許文献１】“地上デジタル放送用チャンネルレベルコントローラカタログ”、［online］、平成１９年６月、ホーチキ株式会社、［平成２０年９月２２日検索］、インターネット＜ＵＲＬ：http://www.hochiki.co.jp/business/comm/webcatalog/pdf/hc_clc_0708.pdf＞
【発明の開示】
【発明が解決しようとする課題】
【００１０】
図４に示すように、従来のテレビ放送用再送信装置１００をテレビ共同受信システムのヘッド側に設置し使用する場合、ＵＨＦ・ＢＳ／ＣＳ用混合器１０３が別途必要となり、設置場所の制約や設置工事の煩雑化等の問題が生じていた。なお、特許文献１では、地上波放送信号と衛星放送信号とを混合する混合器が別途設けられており、非特許文献１では、地上波放送信号と衛星放送信号とを混合して増幅する混合機能付きブースタが別途設けられており、両者とも図４に示す構成と同様に、設置場所の制約や設置工事の煩雑化等の問題が生じていた。
【００１１】
本発明は、上記の状況に鑑み、テレビ共同受信システムのヘッド側に設置し使用する場合に設置場所の制約や設置工事の煩雑化等の問題を回避することができるテレビ放送用再送信装置を提供することを目的とする。
【課題を解決するための手段】
【００１２】
上記目的を達成するために本発明に係るテレビ放送用再送信装置は、地上波放送受信用アンテナによって受信された地上波放送信号を入力する地上波放送信号入力部と、衛星放送受信用アンテナによって受信された衛星放送信号を入力する衛星放送信号入力部と、前記地上波放送信号入力部が入力した地上波放送信号を放送チャンネル毎に適正レベルに調整する地上波放送信号レベル調整部と、前記地上波放送信号レベル調整部によってレベル調整された地上波放送信号と前記衛星放送信号入力部が入力した衛星放送信号又は前記衛星放送信号入力部が入力した衛星放送信号を信号処理して得られる衛星放送信号とを混合する混合器と、前記衛星放送受信用アンテナに電力を供給するために前記衛星放送信号入力部に電力を重畳する電力重畳部とを備える構成とする。なお、上記信号処理として、例えば、衛星放送信号レベル調整部による衛星放送信号のレベル調整が挙げられる。
【００１３】
このような構成によると、地上波放送信号レベル調整部によってレベル調整された地上波放送信号と衛星放送信号入力部が入力した衛星放送信号又は衛星放送信号入力部が入力した衛星放送信号を信号処理して得られる衛星放送信号とを混合する混合器をテレビ放送用再送信装置自体が備えており、さらに、テレビ放送用再送信装置が、衛星放送受信用アンテナに電力を供給するために衛星放送信号入力部に電力を重畳する電力重畳部も備えているので、テレビ共同受信システムに対して使用する場合に混合器等の部品を別途必要としない。したがって、設置場所の制約や設置工事の煩雑化等の問題を回避することができる。
【００１４】
また、前記衛星放送信号入力部が入力した衛星放送信号をレベル調整する衛星放送信号レベル調整部を備え、前記混合器が、前記地上波放送信号レベル調整部によってレベル調整された地上波放送信号と前記衛星放送信号レベル調整部によってレベル調整された衛星放送信号とを混合するようにすることが望ましい。
【００１５】
このような構成によると、テレビ放送用再送信装置内部で、地上波放送信号のレベルと衛星放送信号のレベルとを適正なレベルに調整して端末側に伝送することが容易になる。
【発明の効果】
【００１６】
本発明に係るテレビ放送用再送信装置の構成によると、地上波放送信号レベル調整部によってレベル調整された地上波放送信号と衛星放送信号入力部が入力した衛星放送信号又は衛星放送信号入力部が入力した衛星放送信号を信号処理して得られる衛星放送信号とを混合する混合器をテレビ放送用再送信装置自体が備えており、さらに、テレビ放送用再送信装置が、衛星放送受信用アンテナに電力を供給するために衛星放送信号入力部に電力を重畳する電力重畳部も備えているので、テレビ共同受信システムのヘッド側に設置し使用する場合に混合器等の部品を別途必要としない。したがって、設置場所の制約や設置工事の煩雑化等の問題を回避することができる。
【発明を実施するための最良の形態】
【００１７】
本発明の実施形態について図面を参照して以下に説明する。本発明に係るテレビ放送用再送信装置をテレビ共同受信システムのヘッド側に設置して使用する場合の構成例を図１に示す。なお、図１において図４と同一の部分には同一の符号を付す。
【００１８】
本発明に係るテレビ放送用再送信装置１は、３つの入力ポートＰＴ１、ＰＴ２及びＰＴ４と、出力ポートＰＴ３と、ＡＣプラグＰ１とを備えており、入力ポートＰＴ１に地上波放送受信用アンテナであるＵＨＦアンテナ１０１が接続され、入力ポートＰＴ２に地上波放送受信用アンテナであるＵＨＦアンテナ１０２が接続され、入力ポートＰＴ４に衛星放送受信用アンテナであるＢＳ／ＣＳアンテナ１０４が接続され、出力ポートＰＴ３から出力される信号がテレビ共同受信システムの端末側に送出され、ＡＣプラグＰ１が図示していない商用電源コンセントに接続される。
【００１９】
本発明に係るテレビ放送用再送信装置１は、ＡＣプラグＰ１から入力されるＡＣ電力によって駆動し、ＵＨＦアンテナ１０１及び１０２で受信した地上波放送信号を放送チャンネル毎に適正レベルに調整し、ＢＳ／ＣＳアンテナ１０４で受信した衛星放送信号のレベルを調整し、そのレベル調整後の地上波放送信号と衛星放送信号とを混合し、そのＵＨＦ・ＢＳ／ＣＳ混合信号をテレビ共同受信システムの端末側に送出する。また、本発明に係るテレビ放送用再送信装置１は、ＤＣ１５Ｖ電力を入力ポートＰＴ４に重畳して、ＤＣ１５Ｖ電力をＢＳ／ＣＳアンテナ１０４に供給している。本発明に係るテレビ放送用再送信装置１が供給するＤＣ１５Ｖ電力によって、ＢＳ／ＣＳアンテナ１０４の図示していないＬＮＢが駆動する。
【００２０】
テレビ共同受信システムは、集合住宅等の受信施設であって、ヘッド側に設置されたＵＨＦアンテナ１０１及び１０２、ＢＳ／ＣＳアンテナ１０４、並びに本発明に係るテレビ放送用再送信装置１の他に、本発明に係るテレビ放送用再送信装置１から出力された放送信号（ＵＨＦ・ＢＳ／ＣＳ混合信号）を増幅するブースタ１０５と、ブースタ１０５の出力を各住戸等に分配するための分配器１０６〜１０８とを備えている。
【００２１】
次に、本発明に係るテレビ放送用再送信装置１の内部構成例を図２に示す。図２に示す内部構成例では、本発明に係るテレビ放送用再送信装置１は、入力ポートＰＴ１、ＰＴ２、及びＰＴ４と、出力ポートＰＴ３と、ＡＣプラグＰ１と、地上波放送信号をチャンネル毎に分配する分配部２と、地上波放送の１チャンネルを適正レベルに調整するチャンネルレベル調整部３＿１と、地上波放送の２チャンネルを適正レベルに調整するチャンネルレベル調整部３＿２と、…、地上波放送のＮチャンネルを適正レベルに調整するチャンネルレベル調整部３＿Ｎと、衛星放送信号のレベルを調整する増幅器４及び減衰器５と、適正レベルに調整された各チャンネルの地上波放送信号とレベル調整された衛星放送信号とを混合する混合器６と、混合器６と出力ポートＰＴ３との間に設けられるコンデンサと、ＡＣプラグＰ１から入力されるＡＣ電力を所定電圧値のＤＣ電力に変換してテレビ放送用再送信装置内の必要な各部に供給するとともにＡＣプラグＰ１から入力されるＡＣ電力をＤＣ１５Ｖ電力に変換する電源部７と、オン状態になることにより電源部７から出力されるＤＣ１５Ｖ電力を入力ポートＰＴ４に重畳するスイッチ８とを備えている。
【００２２】
図２に示す内部構成例では、スイッチ８がオンになることにより、電源部７から出力されるＤＣ１５Ｖ電力が入力ポートＰＴ４に重畳されるので、テレビ共同受信システムのブースタ１０５（図１参照）が、入力側にＤＣ１５Ｖ電力を出力するＤＣ１５Ｖ通電機能を有していないブースタであっても構わない。
【００２３】
チャンネルレベル調整部３＿１〜３＿Ｎはそれぞれ、分配部２側から順に、コンデンサ９と、ＵＨＦ帯の信号を通過させるバンドパスフィルタ１０と、利得制御部１１と、増幅器１２と、高周波ノイズをカットするローパスフィルタ１３と、ローパスフィルタ１３から出力される地上波放送信号（ＵＨＦ帯の信号）を第１中間周波信号に変換するアップコンバート用ミキサ１４と、第１中間周波帯域の信号を通過させるＳＡＷ（Surface Acoustic Wave）フィルタ１５と、増幅器１６と、増幅器１６から出力される第１中間周波信号を第２中間周波信号に変換するダウンコンバート用ミキサ１７と、第２中間周波帯域（５７ＭＨｚ帯域）の信号を通過させるＳＡＷフィルタ１８と、分岐器１９と、増幅器２０と、第２中間周波帯域の信号を通過させるＳＡＷフィルタ２１と、ＳＡＷフィルタ２１から出力される第２中間周波信号を第１中間周波信号に変換するアップコンバート用ミキサ２２と、第１中間周波帯域の信号を通過させるＳＡＷフィルタ２３と、増幅器２４と、増幅器２４から出力される第１中間周波信号を地上波放送信号（ＵＨＦ帯の信号）に変換するダウンコンバート用ミキサ２５と、利得制御器２６と、増幅器２７と、ＵＨＦ帯の信号を通過させるバンドパスフィルタ２８と、コンデンサ２９とを備えている。
【００２４】
また、チャンネルレベル調整部３＿１〜３＿Ｎはそれぞれ、分岐器１９からの信号を検波する検波器３０を備えており、検波器３０の検波結果に応じて利得制御部１１が利得を調整する。すなわち、検波器３０及び利得制御部１１がＡＧＣ（Automatic Gain Control）回路として機能する。利得制御器２６の利得は、チャンネルレベル調整部３＿１〜３＿Ｎ全てで同一であり、地上波放送信号の各チャンネルのレベルは、上記ＡＧＣ回路によって揃えられたのち、利得制御器２６によって適正レベルに調整される。
【００２５】
さらに、チャンネルレベル調整部３＿１〜３＿Ｎはそれぞれ、チャンネル選択用スイッチ３１と、ＣＰＵ（Central Processing Unit）３２と、ＰＬＬ（Phase Locked Loop）回路３３及び３５と、基準電圧源３４とを備えている。チャンネル選択用スイッチ３１のスイッチングによりチャンネルが選択され、ＣＰＵ３２はチャンネル選択用スイッチ３１のチャンネル選択結果に応じた制御信号をＰＬＬ回路３３及び３５に送出する。ＰＬＬ回路３３及び３５はそれぞれ、電圧制御発振器と、ＣＰＵ３２からの制御信号に応じた分周比が設定され電圧制御発振器の出力（局部発振信号）を分周する第１の分周器と、ＣＰＵ３２からの制御信号に応じた分周比が設定され基準電圧源３４の出力を分周する第２の分周器と、第１の分周器の出力と第２の分周器の出力を比較して誤差信号を出力するコンパレータと、コンパレータから出力される誤差信号を直流電圧信号に変換してその直流電圧信号によって電圧制御発振器を制御するループフィルタとを備えている。なお、ＰＬＬ回路３３の局部発振信号は、アップコンバート用ミキサ１４及びダウンコンバート用ミキサ２５に送出され、ＵＨＦ帯の信号から第１中間周波信号へのアップコンバート及び第１の中間周波信号からＵＨＦ帯の信号へのダウンコンバートに用いられ、ＰＬＬ回路３５の局部発振信号は、ダウンコンバート用ミキサ１７及びアップコンバート用ミキサ２２に送出され、第１中間周波信号から第２中間周波信号へのダウンコンバート及び第２の中間周波信号から第１中間周波信号へのアップコンバートに用いられる。
【００２６】
次に、本発明に係るテレビ放送用再送信装置の他の内部構成例を図３に示す。なお、図３において図２と同一の部分には同一の符号を付し詳細な説明を省略する。図３に示す内部構成例は、図２に示す内部構成例からスイッチ８を取り除き、電源部７を電源部７’に代え、混合器６を混合器６’に代えた構成である。
【００２７】
電源部７’は、ＡＣプラグＰ１から入力されるＡＣ電力を所定電圧値のＤＣ電力に変換してテレビ放送用再送信装置内の必要な各部に供給している。また、混合器６’は、出力ポート（コンデンサを介して出力ポートＰＴ３に接続されているポート）−ＢＳ／ＣＳ入力ポート（減衰器５及び増幅器４を介して入力ポートＰＴ４に接続されているポート）間のＤＣ１５Ｖ通電機能を有しており、テレビ共同受信システムのブースタ１０５（図１参照）が出力するＤＣ１５Ｖ電力をＢＳ／ＣＳアンテナ１０４（図１参照）に供給している。したがって、図３に示す内部構成例では、テレビ共同受信システムのブースタ１０５（図１参照）を、入力側にＤＣ１５Ｖ電力を出力するＤＣ１５Ｖ通電機能を有しているブースタにする必要がある。
【００２８】
上述した本発明に係るテレビ放送用再送信装置１によると、チャンネルレベル調整部３＿１〜３＿Ｎによってレベル調整された地上波放送信号と入力ポートＰＴ３が入力した衛星放送信号を増幅器４及び減衰器５でレベル調整して得られる衛星放送信号とを混合する混合器６又は６’をテレビ放送用再送信装置自体が備えており、さらに、テレビ放送用再送信装置が、ＢＳ／ＣＳアンテナ１０４（図１参照）にＤＣ電力を供給するために入力ポートＰＴ４にＤＣ電力を重畳するＤＣ電力重畳部（電源部７及びスイッチ８又は混合器６’）も備えているので、テレビ共同受信システムのヘッド側に設置し使用する場合に混合器等の部品を別途必要としない。したがって、設置場所の制約や設置工事の煩雑化等の問題を回避することができる。
【００２９】
また、上述した実施形態では、地上波放送信号の入力ポートを２つ設けたが、１つ又は３つ以上でもよい。
【００３０】
また、上述した実施形態では、入力ポートＰＴ４に入力された衛星放送信号のレベル調整部として増幅器４及び減衰器５を用いたが、これらを省略して（増幅器４及び減衰器５を入力パス回路に置換して）、後段のブースタ１０５で衛星放送信号のレベル調整を行うようにしてもよい。
【図面の簡単な説明】
【００３１】
【図１】は、本発明に係るテレビ放送用再送信装置をテレビ共同受信システムのヘッド側に設置した場合の構成例を示す図である。
【図２】は、本発明に係るテレビ放送用再送信装置の内部構成例を示す図である。
【図３】は、本発明に係るテレビ放送用再送信装置の他の内部構成例を示す図である。
【図４】は、従来のテレビ放送用再送信装置をテレビ共同受信システムのヘッド側に設置した場合の構成例を示す図である。
【符号の説明】
【００３２】
１  本発明に係るテレビ放送用再送信装置
２  分配部
３＿１〜３＿Ｎ  チャンネルレベル調整部
４、１２、１６、２０、２４、２７  増幅器
５  減衰器
６、６’  混合器
７、７’  電源部
８  スイッチ
９  コンデンサ
１０、２８  バンドパスフィルタ
１１、２６  利得制御部
１３  ローパスフィルタ
１７、２５  ダウンコンバート用ミキサ
１５、１８、２１、２３  ＳＡＷフィルタ
１９  分岐器
１４、２２  アップコンバート用ミキサ
２９  コンデンサ
３０  検波器
３１  チャンネル選択用スイッチ
３２  ＣＰＵ
３３、３５  ＰＬＬ回路
３４  基準電圧源
１００  従来のテレビ放送用再送信装置
１０１、１０２  ＵＨＦアンテナ
１０３  ＵＨＦ・ＢＳ／ＣＳ用混合器
１０４  ＢＳ／ＣＳアンテナ
１０５  ブースタ
１０６〜１０８  分配器
Ｐ１  ＡＣプラグ
ＰＴ１、ＰＴ２、ＰＴ４  入力ポート
ＰＴ３  出力ポート
【図１】
2010103905.tif 000003
【図２】
2010103905.tif 000004
【図３】
2010103905.tif 000005
【図４】
2010103905.tif 000006